(57)【要約】【課題】  付加的な取り付け部材を必要せず、コアを容易に装着することができ、かつ、印字ユニットの組み込み作業を容易に行なうことのできるプリンタ装置を提供する。【解決手段】  プリンタ装置は、所定の印刷を行なうための印字ユニットと、その印字ユニットを保持するベースカバー８とを備えている。ベースカバー８には、印字ユニットの基板部のＵＳＢ端子を露出する開口部が設けられている。その開口部に対してベースカバー８の内側の所定の位置に、コア１１を下方から保持するポケット状のコア保持部材１０が形成されている。コア保持部材１０は、コア１１のそれぞれ所定の方向の動きを規制する第１部材１０ａと第２部材１０ｂとによって構成される。【選択図】        図５
2006212916.tif 000002
【特許請求の範囲】
【請求項１】
インクカートリッジを装着したキャリア部、インクの詰まりを防止するためのメンテナンス部、用紙を搬送するためのフィード部およびプリンタの動作を制御するための基板部を有する印字ユニットと、
前記印字ユニットの前記基板部に設けられ、情報を伝達するためのケーブルが接続される所定の端子部と、
前記印字ユニットを保持するベースカバーと、
前記ベースカバーに形成され、前記印字ユニットが前記ベースカバーに保持された状態で前記端子部を露出する開口部と、
前記開口部に対して前記ベースカバーの所定の位置に一体的に形成され、電磁的ノイズを防止するコアを下方から保持するためのコア保持部材と、
前記コア保持部材に保持されて前記端子部が挿通されるリング状のコアと
を備えた、プリンタ装置。
【請求項２】
プリンタとしての動作を制御するための基板部と、
前記基板部に設けられ、情報を伝達するためのケーブルが接続される所定の端子部と、
前記基板部を保持するベースカバーと、
前記ベースカバーに形成され、前記基板部の前記端子部を露出する開口部と、
前記開口部に対して前記ベースカバーにおける所定の位置に形成され、電磁的ノイズを防止するコアを保持するためのコア保持部材と、
前記コア保持部材に保持されて前記端子部に装着されるコアと
を備えた、プリンタ装置。
【請求項３】
前記コア保持部材は、前記ベースカバーの内側に設けられた、請求項２記載のプリンタ装置。
【請求項４】
前記コア保持部材は、前記コアを下方から保持し、前記コアの上方が開放される態様で形成された、請求項３記載のプリンタ装置。
【請求項５】
前記コア保持部材は、前記ベースカバーの外側に設けられた、請求項２記載のプリンタ装置。
【請求項６】
前記コア保持部材は、前記コアを周方向から挟み込む態様で形成された、請求項５記載のプリンタ装置。
【請求項７】
前記コア保持部材は前記ベースカバーに一体的に形成された、請求項２〜６のいずれかに記載のプリンタ装置。
【発明の詳細な説明】
【技術分野】
【０００１】
本発明はプリンタ装置に関し、特に、電磁ノイズ輻射を防止するためのコアを備えたプリンタ装置に関するものである。
【背景技術】
【０００２】
パーソナルコンピュータ等に代表される情報機器の情報を印刷するために、プリンタ装置が使用される。そのプリンタ装置１０１とパーソナルコンピュータ１０２とは、図１２に示すように、ケーブル１１２を介して接続される。このとき、電磁ノイズ輻射を防止してプリンタ装置１０１の誤動作を防止するためにコアが取付けられる。そのようなコアの取付け態様の一つに、プリンタ装置１０１の側にコアを装着する態様がある。
【０００３】
そこで、この種の取付け態様について説明する。まず、図１３に示すように、プリンタ装置内に配設されてプリンタ装置の動作を制御するための基板部１０６には、ケーブル１１２が接続される端子部としてＵＳＢ（Universal Serial Bus）端子１０７が設けられている。一方、プリンタ装置のベースカバー１０８には、このＵＳＢ端子１０７を露出させる開口部１０９が形成されている。ケーブル１１２のコネクタ１１３は、この開口部１０９を介してＵＳＢ端子１０７に接続される。そして、コアとして、図１４に示すように、あらかじめリング状のコア１１１がＵＳＢ端子１０７に挿通されるように基板部１０６に所定の取り付け部材１１４によって装着されて、電磁ノイズの輻射が抑制されることになる。
【０００４】
なお、コアの取付け態様としては、この他に、コアをケーブルに装着する態様があり、この態様は、たとえば特許文献１〜３に提案されている。
【特許文献１】特開平６−２９０８３７号公報
【特許文献２】特開２００２−４３１３３号公報
【特許文献３】特開２００４−３９７８６号公報
【発明の開示】
【発明が解決しようとする課題】
【０００５】
しかしながら、コア１１１を基板部１０６に装着した従来のプリンタ装置では次のような問題点があった。図１４に示されるように、コア１１１は所定の取り付け部材１１４によって基板部１０６にあらかじめ固定され、その状態で基板部１０６を含む印字ユニット（図示せず）がベースカバーに取付けられる。そのため、コア１１１を基板部１０６に取付けるのに付加的な取り付け部材１１４が必要とされ、また、その取付けに手間を要するという問題があった。さらに、印字ユニットをベースカバーに取付ける際に、コア１１１が基板部１０６にあらかじめ固定されているために、コアがベースカバーと緩衝しやすく、印字ユニットのベースカバーへの組み込み作業が行ないにくいという問題があった。
【０００６】
本発明は上記問題点を解決するためになされたものであり、その目的は、付加的な取り付け部材を必要とせず、コアを容易に装着することのでき、かつ、印字ユニットの組み込み作業を容易に行なうことのできるプリンタ装置を提供することである。
【課題を解決するための手段】
【０００７】
本発明に係るプリンタ装置は、印字ユニットと所定の端子部とベースカバーと開口部とコア保持部材とリング状のコアとを備えている。印字ユニットは、インクカートリッジを装着したキャリア部、インクの詰まりを防止するためのメンテナンス部、用紙を搬送するためのフィード部およびプリンタの動作を制御するための基板部を有している。所定の端子部は印字ユニットの基板部に設けられ、情報を伝達するケーブルが接続される。ベースカバーは印字ユニットを保持する。開口部はベースカバーに形成され、印字ユニットがベースカバーに保持された状態で端子部を露出する。コア保持部材は開口部に対してベースカバーの所定の位置に一体的に形成され、電磁的ノイズを防止するコアを下方から保持する。リング状のコアは、コア保持部材に保持されて端子部が挿通される。
【０００８】
この構造によれば、ベースカバーの所定の位置にコアを保持するコア保持部材が形成されていることで、コアを基板部に取付ける場合と比べると、コアを基板部に取付けるための取り付け部材が不要になるとともに、そのような取付け作業を省くことができる。しかも、ベースカバーの側にコアを取付けることで、基板部にコアを取付けた状態で印字ユニットをベースカバーに組み込む場合と比べると、印字ユニットをベースカバーへ組み込む際にコアと端子部との緩衝がより少なくなって組み込み作業が容易になる。
【０００９】
本発明に係る他のプリンタ装置は、プリンタとしての動作を制御する基板部と端子部とベースカバーと開口部とコア保持部材とコアとを備えている。端子部は基板部に設けられ、情報を伝達する所定のケーブルが接続される。ベースカバーは基板部を保持する。開口部はベースカバーに形成され、基板部の端子部を露出する。コア保持部材は開口部に対してベースカバーにおける所定の位置に形成され、電磁的ノイズを防止するコアを保持する。コアはコア保持部材に保持されて端子部に装着される。
【００１０】
この構造によれば、ベースカバーの所定の位置にコアを保持するコア保持部材が形成されていることで、コアを基板部に取付ける場合と比べると、コアを基板部に取付けるための取り付け部材が不要になるとともに、そのような取付け作業を省くことができる。しかも、ベースカバーの側にコアを取付けることで、基板部にコアを取付けた状態で基板部等をベースカバーに組み込む場合と比べると、基板部等をベースカバーへ組み込む際にコアと端子部との緩衝がより少なくなって組み込み作業が容易になる。
【００１１】
そのようなコア保持部材の態様として、ベースカバーの内側に設けられる場合とベースカバーの外側に設けられる場合とがある。コア保持部材がベースカバーの内側に設けられる場合には、コア保持部材は、コアを下方から保持し、コアの上方が開放される態様で形成されることが好ましく、この場合には、印字ユニットをベースカバーに組み込む際に、コア保持部材によりコアの上下方向の動きが許容されて、基板部の端子部をコアに容易に装着させることができ、印字ユニットの組み込み作業を容易に行なうことができる。
【００１２】
一方、コア保持部材がベースカバーの外側に設けられる場合には、コア保持部材は、コアを周方向から挟み込む態様で形成されていることが好ましく、この場合には、印字ユニットの組み込み作業とは別にコアの取付け作業を容易に行なうことができる。
【００１３】
また、コア保持部材はベースカバーに一体的に形成されていることが好ましく、この場合には部品点数の削減も図ることができる。
【発明を実施するための最良の形態】
【００１４】
本発明の実施の形態に係るプリンタ装置について説明する。図１に示すように、プリンタ装置１は、所定の印刷を行なうための印字ユニット２と、その印字ユニット２を保持するベースカバー８とを備えている。印字ユニット２は、キャリア部３、メンテナンス部４、フィード部５および基板部６により構成される。キャリア部３にはインクカートリッジ（図示せず）が装着されている。メンテナンス部４は、インクを乾燥させない機能や印字の前にノズルの先端のインクの詰りを取除く機能を有している。フィード部５は用紙を搬送させる機能を有している。そして、基板部６は、パーソナルコンピュータ等の情報機器と接続されて、プリンタ装置１の動作を制御する機能を有している。ベースカバー８には、電磁ノイズ輻射を防止するためのリング状のコア１１が取り付けられている。
【００１５】
次に、そのコア１１の取付け構造について詳しく説明する。図２に示すように、まず、ベースカバー８には、基板部のＵＳＢ端子を露出する開口部９が設けられている。その開口部９に対してベースカバー８の内側の所定の位置に、コアを下方から保持するポケット状のコア保持部材１０が形成されている。図３および図４に示すように、コア保持部材１０は、ケーブルの挿通方向と直交する方向（矢印２１）のコア１１の動きを規制する第１部材１０ａと、ケーブルの挿通方向（矢印２２）のコア１１の動きを規制する第２部材１０ｂとによって構成される。第１部材１０ａと第２部材１０ｂとは、いずれも上方に向かって開放されている。
【００１６】
次に、上述したプリンタ装置１におけるコア１１の取付けを含めた印字ユニット２の組み込み作業について説明する。まず、図５に示すように、コア保持部材１０にリング状のコア１１が載置される。次に、図６に示すように、基板部６のＵＳＢ端子７をリング状のコア１１に挿通させ開口部９から露出するように印字ユニット２が導かれる。このとき、指などでコア１１を保持される位置よりも若干高いに位置に保持させた状態で印字ユニット２を組み込むことで、ＵＳＢ端子７をリング状のコア１１に容易に挿通させることができる。このようにして図７に示すように、開口部９からＵＳＢ端子７が露出して、印字ユニット２がベースカバー８に組み込まれることになる。その露出したＵＳＢ端子７にケーブル１２のコネクタ１３が接続される。このようにして、ＵＳＢ端子７あるいはケーブル１２がリング状のコア１１に挿通されて、電磁ノイズ輻射が抑制される。
【００１７】
上述したプリンタ装置によれば、ベースカバー８の内側の所定の位置に、コアを下方から保持するポケット状のコア保持部材１０が形成されている。これにより、コア１１を基板部６に取付ける場合と比べると、コア１１を基板部６に取付けるための取り付け部材が不要になり、また、そのような取付けの手間がなくなる。そして、印字ユニット２をベースカバー８に組み込む際に、ポケット状のコア保持部材１０によりコア１１の上下方向の動きが許容されて、ＵＳＢ端子７とコア１１との緩衝がより少なくなって基板部６のＵＳＢ端子７をリング状のコア１１に容易に挿通させることができ、印字ユニット２の組み込み作業を容易に行なうことができる。
【００１８】
なお、上述したプリンタ装置１では、コア保持部材１０をベースカバー８の内側に形成した場合を例に挙げて説明した。コア保持部材１０としては、この他に、図８、図９および図１０に示すように、ベースカバー８の外側に設けてもよい。この場合には、たとえばリング状のコア１１を上下方向から支持する第１部材１０ｄと、リング状のコア１１を周方向から挟み込む第２部材１０ｃによってコア保持部材１０が構成される。
【００１９】
コア保持部材１０がベースカバー８の外側に設けられる場合には、印字ユニットをベースカバーに組み込む際に、基板部のＵＳＢ端子がコアと緩衝することがない。そのため、あらかじめコアをコア保持部材に装着しておいてもよいし、印字ユニットをベースカバーに組み込んだ後にコアをコア保持部材に装着するようにしてもよい。これにより、印字ユニットの組み込み作業は別個にコアの取付け作業を行なうことができて、コアを含めた印字ユニットの組み込み作業をより容易に行なうことができる。この場合にも、印字ユニットが組み込まれた状態では、図１１に示すように、ＵＳＢ端子７あるいはケーブル（図示せず）がリング状のコア１１に挿通されて、電磁ノイズ輻射を抑制することができる。また、いずれの場合もコア保持部材１０をベースカバー８と一体的に形成することで、部品点数の削減を図ることができる。
【００２０】
なお、今回開示された実施の形態は例示であってこれに制限されるものではない。本発明は上記で説明した範囲ではなく、特許請求の範囲によって示され、特許請求の範囲と均等の意味および範囲でのすべての変更が含まれることが意図される。
【図面の簡単な説明】
【００２１】
【図１】本発明の実施の形態に係るプリンタ装置の分解斜視図である。
【図２】同実施の形態において、コア保持部材およびその周辺を示す部分拡大斜視図である。
【図３】同実施の形態において、コア保持部材を示す上面図である。
【図４】同実施の形態において、コア保持部材を示す側面図である。
【図５】同実施の形態において、印字ユニットの組み込み作業を説明するための一工程を示す部分拡大斜視図である。
【図６】同実施の形態において、印字ユニットの組み込み作業を説明するための図５に示す工程の後に行なわれる工程を示す部分断面側面図である。
【図７】同実施の形態において、印字ユニットの組み込み作業を説明するための図６に示す工程の後に行なわれる工程を示す部分断面側面図である。
【図８】同実施の形態において、変形例に係るプリンタ装置におけるコア保持部材を示す正面図である。
【図９】同実施の形態において、図８に示す断面線ＩＸ−ＩＸにおける断面図である。
【図１０】同実施の形態において、図８に示す断面線Ｘ−Ｘにおける断面図である。
【図１１】同実施の形態において、変形例に係るプリンタ装置において印字ユニットがベースカバーに組み込まれた状態を示す部分断面図である。
【図１２】従来のプリンタ装置を示す斜視図である。
【図１３】従来のプリンタ装置におけるＵＳＢ端子とケーブルとの接続を示す部分拡大斜視図である。
【図１４】従来のプリンタ装置において、コアの取付け態様を示す部分拡大斜視図である。
【符号の説明】
【００２２】
１  プリンタ装置、２  印字ユニット、３  キャリア部、４  メンテナンス部、５  フィード部、６  基板部、７  ＵＳＢ端子、８  ベースカバー、９  開口部、１０  コア保持部材、１０ａ，１０ｃ  第１部材、１０ｂ，１０ｄ  第２部材、１１  コア、１２  ケーブル、１３  コネクタ。
【図１】
2006212916.tif 000003
【図２】
2006212916.tif 000004
【図３】
2006212916.tif 000005
【図４】
2006212916.tif 000006
【図５】
2006212916.tif 000007
【図６】
2006212916.tif 000008
【図７】
2006212916.tif 000009
【図８】
2006212916.tif 000010
【図９】
2006212916.tif 000011
【図１０】
2006212916.tif 000012
【図１１】
2006212916.tif 000013
【図１２】
2006212916.tif 000014
【図１３】
2006212916.tif 000015
【図１４】
2006212916.tif 000016